(57)【要約】【課題】回転操作時の摺動音を低減することが可能であり、耐久性に優れた回転操作部材を提供すること。【解決手段】回転操作されるダイヤル（３０１）と、前記ダイヤル（３０１）を回転操作する時のクリック力が加わるダイヤルベース（３０５）を備えた回転操作部材であって、前記ダイヤルベース（３０５）の前記ダイヤル（３０１）の回転軸と平行な面に歪みセンサ（７００）が配置されており、前記歪みセンサ（７００）の出力によって、ダイヤル（３０１）を回転操作した時の回転方向とクリック回数を検出することを特徴とする。【選択図】図４
2017068175.tif 000002
【特許請求の範囲】
【請求項１】
回転操作されるダイヤル（３０１）と、
前記ダイヤル（３０１）を回転操作する時のクリック力が加わるダイヤルベース（３０５）を備えた回転操作部材であって、
前記ダイヤルベース（３０５）の前記ダイヤル（３０１）の回転軸と平行な面に歪みセンサ（７００）が配置されており、
前記歪みセンサ（７００）の出力（Ｓ７００）によって、ダイヤル（３０１）を回転操作した時の回転方向とクリック回数を検出することを特徴とする回転操作部材。
【請求項２】
前記ダイヤル（３０１）を回転操作する時のクリック力は、凹凸を備えたクリック部材（３０７）に対して、ボール部材（３０２）が弾性部材（３０３）により付勢されていることで発生することを特徴とする請求項１に記載の回転操作部材。
【請求項３】
前記ダイヤルベース（３０５）の前記ダイヤル（３０１）の回転軸と平行な複数の面に複数の歪みセンサ（７００）が配置されていることを特徴とする請求項１又は請求項２に記載の回転操作部材。
【請求項４】
前記歪みセンサ（７００）の出力によって、ダイヤル（３０１）を回転操作した時の回転方向とクリック回数を検出するために、出力（Ｓ７００）のクリック検出閾値（Ｖ１、−Ｖ２）を設定していることを特徴とする請求項１乃至請求項３の何れか一項に記載の回転操作部材。
【請求項５】
請求項１乃至請求項４の何れか一項に記載の回転操作部材を備えることを特徴とする撮像装置。
【発明の詳細な説明】
【技術分野】
【０００１】
本発明は、撮像装置に関し、特に撮像装置の回転操作部材に関する。
【背景技術】
【０００２】
被写体像を電気信号に変換して撮像するデジタルカメラ等の撮像装置では、撮影光束を撮像素子で受光し、その撮像素子から出力される光電変換信号を画像データに変換して、メモリカード等の記録媒体に記録する。撮像素子としては、ＣＣＤ（Ｃｈａｒｇｅ  Ｃｏｕｐｌｅｄ  Ｄｅｖｉｃｅ）や、ＣＭＯＳセンサ（Ｃｏｍｐｌｅｍｅｎｔａｒｙ  Ｍｅｔａｌ  Ｏｘｉｄｅ  Ｓｅｍｉｃｏｎｄｕｃｔｏｒ）等が用いられる。
【０００３】
従来の撮像装置では、撮像装置の上面または背面などに情報設定をするための回転操作部材が配置されている。回転操作部材は、回転する機構を備え、これを回転させることでモード設定やコマンド設定を行えるものである。また、撮影時には、シャッター速度、絞り数値などの設定値を変更することも可能である。
【０００４】
特許文献１には、クリック動作させるためのダイヤルクリック機構を設けたことを特徴とする回転操作部材が開示されている。回転操作ダイヤルは、ダイヤルの回転に連動して、電気接片を電子回路パターン上を摺動させることによりスイッチ動作させ、モード設定、コマンド設定を行うことが可能である。
【先行技術文献】
【特許文献】
【０００５】
【特許文献１】特開２００３−８７６２２号公報
【発明の概要】
【発明が解決しようとする課題】
【０００６】
しかしながら、上述の特許文献に開示された従来技術では、ダイヤル操作時に電気接片と電子回路パターンが、物理的に接触することでスイッチ動作している。このため、回転操作時の電気接片と回路パターンの摺動摩擦による摩擦音や電気接片の振動音、また、回転操作を繰り返すことによる電気接片と電子回路パターンの摩耗によるスイッチの動作不良の問題が発生してしまう懸念がある。
【０００７】
そこで、本発明の目的は、回転操作時の摺動音を低減することが可能であり、耐久性に優れた回転操作部材を提供することにある。
【課題を解決するための手段】
【０００８】
上記の目的を達成するために、本発明に係る回転操作部材は、
回転操作されるダイヤル（３０１）と、
前記ダイヤル（３０１）を回転操作する時のクリック力が加わるダイヤルベース（３０５）を備えた回転操作部材であって、
前記ダイヤルベース（３０５）の前記ダイヤル（３０１）の回転軸と平行な面に歪みセンサ（７００）が配置されており、
前記歪みセンサ（７００）の出力によって、ダイヤル（３０１）を回転操作した時の回転方向とクリック回数を検出することを特徴とする。
【発明の効果】
【０００９】
本発明によれば、回転操作時の摺動音を低減することが可能であり、耐久性に優れた回転操作部材を提供することができる。
【図面の簡単な説明】
【００１０】
【図１】本発明の実施形態におけるカメラ全体の概略構成を示す斜視図である。
【図２】本発明の実施形態におけるカメラ内部の電気的構成を示す図である。
【図３】本発明の第１の実施例である回転操作部材を示す正面図である。
【図４】本発明の第１の実施例である回転操作部材を示す背面図と断面図である。
【図５】本発明の第１の実施例である回転操作部材の前面側から見た分解斜視図である。
【図６】本発明の第１の実施例である回転操作部材の背面側から見た分解斜視図である。
【図７】本発明の第１の実施例である回転操作部材のクリック機構を説明するための背面図である。
【図８】本発明の第１の実施例である回転操作部材を回転させた時のクリック力の状態推移を説明する図である。
【図９】本発明の第１の実施例である回転操作部材の歪みセンサの配置を説明する斜視図である。
【図１０】本発明の第１の実施例である回転操作部材を回転させた時の歪みセンサによる検出信号のグラフである。
【図１１】本発明の第２の実施例である回転操作部材を示す正面図である。
【図１２】本発明の第２の実施例である回転操作部材を示す背面図と断面図である。
【図１３】本発明の第２の実施例である回転操作部材の前面側から見た分解斜視図である。
【図１４】本発明の第２の実施例である回転操作部材の背面側から見た分解斜視図である。
【図１５】本発明の第２の実施例である回転操作部材を回転させた時の歪みセンサによる検出信号のグラフである。
【発明を実施するための形態】
【００１１】
以下に、本発明の好ましい実施の形態を、添付の図面に基づいて詳細に説明する。本実施形態では、撮像装置としてデジタル一眼レフカメラ（以下、カメラという）を取り上げて説明する。
【実施例１】
【００１２】
まず、本発明の実施例に係るカメラの全体の概略構成について図１および図２を参照して説明する。
【００１３】
図１は本実施例に係るカメラの外観図であり、撮影レンズユニット（不図示）を外した状態を示している。図１（ａ）はカメラを前面側（被写体側）から見た斜視図であり、図１（ｂ）はカメラを背面側（撮影者側）から見た斜視図である。図２は、本発明によるカメラの主要な電気的構成を示すブロック図である。
【００１４】
図１（ａ）に示すように、カメラ本体１の正面には、撮影レンズユニット（不図示）を着脱可能に固定するマウント２が設けられている。マウント２には、カメラ本体１と撮影レンズユニットとの間で制御信号、状態信号およびデータ信号等の通信を可能にし、撮影レンズユニット側に電力を供給するマウント接点５０７が設けられている。また、カメラ本体１には、マウント２の近接した位置に、装着された撮影レンズユニットを取り外すときに押下するレンズロック解除ボタン４が設けられている。
【００１５】
カメラ本体１の内部には、撮影レンズを通過した撮影光束が導かれるミラーボックス２０が設けられている。ミラーボックス２０内には、撮影光束を所定の方向に反射させるメインミラー（クイックリターンミラー）６が配設されている。図２に示すように、メインミラー６は撮影光束をペンタダハミラー２２の方向に導くように撮影光軸に対して４５°の角度に保持される状態と、撮像素子３３の方向に導くように撮影光束から退避した位置に保持される状態とに変化する。
【００１６】
カメラ本体１には撮影者がカメラ本体１を保持するためのグリップ部９が設けられている。グリップ部９には、撮影者がカメラに対して撮影を指示するためのレリーズ釦１０が設けられている。図２に示すように、レリーズ釦１０には、ＳＷ１（１０ａ）とＳＷ２（１０ｂ）とがあり、レリーズ釦１０の第１ストロークでＳＷ１がＯＮになり、第２ストロークでＳＷ２がＯＮになる。
【００１７】
カメラ本体１の上部には、フラッシュなどのカメラアクセサリ取り付け用のシュー溝１２および接点１３が設けられている。また、撮影モードを設定する撮影モード設定ダイヤル（以下、モードダイヤル）８１０と、シャッター速度、絞り数値などの設定値を変更するための回転操作部材であるメイン操作ダイヤル３１０が設けられている。メイン操作ダイヤル３１０に関しては、実施形態の詳細な説明を後述する。
【００１８】
また、図１（ｂ）に示すように、カメラ本体１の背面の上部には、電源スイッチ５０１が設けられており、レバーを回動させることでカメラの電源をＯＮ、ＯＦＦ動作させる。また、カメラ本体１の背面の上部中央には、上述したメインミラー６により反射された撮像光束を撮影者が観察できるファインダ接眼窓１４が設けられている。カメラ本体１の背面の中央付近には、画像表示可能なカラー液晶モニタ１５が設けられている。また、グリップ時に親指で操作できる位置に、第二の回転操作部材であるサブ操作ダイヤル３３０が設けられている。
【００１９】
カメラ本体１の正面から見て右側には、外部機器端子コネクタ（外部インターフェース４０）を保護する端子カバー１６が配置され、左側には記録メディア（外部メモリ３９）を挿抜する時に開閉するためのメディアカバー１７が備えられている。
【００２０】
また、カメラ底面には、カメラへの電力を供給する電池（不図示）を収納する電池室（不図示）の開口部の開閉を行う電池蓋１８０が備えられている。
【００２１】
図２は、本発明によるカメラの主要な電気的構成を示すブロック図である。カメラ本体１に内蔵されたマイクロコンピュータからなる中央処理装置（以下、「ＭＰＵ」と称する）１００は、カメラの動作制御を司るものであり、各要素に対して様々な処理や指示を実行する。ＭＰＵ１００に内蔵されたＥＥＰＲＯＭ１００ａは、時刻計測回路１０９の計時情報やその他の情報を記憶することができる。
【００２２】
ＭＰＵ１００には、ミラー駆動回路１０１、焦点検出回路１０２、シャッター駆動回路１０３、映像信号処理回路１０４、スイッチセンス回路１０５、測光回路１０６、ストロボ駆動回路１１３が接続されている。ストロボ駆動回路１１３により、ストロボユニット５０４の動作が制御される。また、液晶表示駆動回路１０７、バッテリチェック回路１０８、時刻計測回路１０９、電力供給回路１１０、圧電素子駆動回路１１１が接続されている。これらの回路は、ＭＰＵ１００の制御により動作するものである。
【００２３】
ＭＰＵ１００は、撮影レンズユニット２００ａ内のレンズ制御回路２０１とマウント接点５０７を介して通信を行う。マウント接点５０７は、撮影レンズユニット２００ａが接続されるとＭＰＵ１００へ信号を送信する機能も有する。これにより、レンズ制御回路２０１は、ＭＰＵ１００との間で通信を行い、ＡＦ駆動回路２０２及び絞り駆動回路２０３を介して撮影レンズユニット２００ａ内の撮影レンズ２００及び絞り２０４の駆動を行う。なお、図２では便宜上１枚の撮影レンズ２００のみを図示しているが、実際は多数のレンズ群によって構成される。
【００２４】
ＡＦ駆動回路２０２は、例えばステッピングモータによって構成され、レンズ制御回路２０１の制御により撮影レンズ２００内のフォーカスレンズ位置を変化させ、撮像素子３３に撮影光束の焦点を合わせるように調整する。絞り駆動回路２０３は、例えばオートアイリス等によって構成され、レンズ制御回路２０１の制御により絞り２０４を変化させ、光学的な絞り値を得る。
【００２５】
メインミラー６は、図２に示す撮影光軸５０に対して４５°の角度に保持された状態で、撮影レンズ２００を通過する撮影光束をペンタダハミラー２２へ導くと共に、その一部を透過させてサブミラー３０へ導く。サブミラー３０は、メインミラー６を透過した撮影光束を焦点検出センサユニット３１へ導く。
【００２６】
ミラー駆動回路１０１は、例えばＤＣモータとギヤトレイン等によって構成され、メインミラー６を、ファインダにより被写体像を観察可能とする位置と、撮影光束から待避する位置とに駆動する。メインミラー６が駆動すると、同時にサブミラー３０も、焦点検出センサユニット３１へ撮影光束を導く位置と、撮影光束から待避する位置とに移動する。
【００２７】
焦点検出センサユニット３１は、不図示の結像面近傍に配置されたフィールドレンズ、反射ミラー、２次結像レンズ、絞り、複数のＣＣＤからなるラインセンサ等によって構成され、位相差方式の焦点検出を行う。焦点検出センサユニット３１から出力される信号は、焦点検出回路１０２へ供給され、被写体像信号に換算された後、ＭＰＵ１００に送信される。ＭＰＵ１００は、被写体像信号に基づいて位相差検出法による焦点検出演算を行う。そして、デフォーカス量及びデフォーカス方向を求め、これに基づいて、レンズ制御回路２０１及びＡＦ駆動回路２０２を介して撮影レンズ２００内のフォーカスレンズを合焦位置まで駆動する。
【００２８】
ペンタダハミラー２２は、メインミラー６により反射された撮影光束を正立正像に変換反射する。撮影者はファインダ光学系１８を介してファインダ接眼窓１４から被写体像を観察することができる。ペンタダハミラー２２は、撮影光束の一部を測光センサ４６へも導く。測光回路１０６は、測光センサ２３の出力を得て、観察面上の各エリアの輝度信号に変換し、ＭＰＵ１００に出力する。ＭＰＵ１００は、輝度信号に基づいて露出値を算出する。
【００２９】
シャッターユニット（例えば、機械フォーカルプレーンシャッター）３２は、撮影者がファインダにより被写体像を観察している時には、シャッター先幕が遮光位置にあると共に、シャッター後幕が露光位置にある。次いで、撮影時には、シャッター先幕が遮光位置から露光位置へ移動する露光走行を行って被写体からの光を通過させ、撮像素子３３で撮像を行う。所望のシャッター秒時の経過後、シャッター後幕が露光位置から遮光位置へ移動する遮光走行を行って撮影を完了する。機械フォーカルプレーンシャッター３２は、ＭＰＵ１００の指令を受けたシャッター駆動回路１０３により制御される。
【００３０】
撮像ユニット４００は、主に光学ローパスフィルタ４１０、光学ローパスフィルタ保持部材４２０、圧電部材である圧電素子４３０、撮像素子３３がユニット化されたものである。撮像素子３３は、被写体像を光電変換するものであり、本実施の形態ではＣＭＯＳセンサが用いられるが、その他にもＣＣＤ型、ＣＭＯＳ型及びＣＩＤ型等様々な形態があり、いずれの形態の撮整像デバイスを採用してもよい。撮像素子３３の前方に配置された光学ローパスフィルタ４１０は、水晶からなる１枚の複屈折板であり、その形状は矩形状である。圧電素子４３０は、単板の圧電素子（ピエゾ素子）であり、ＭＰＵ１００の指示を受けた圧電素子駆動回路１１１により加振され、その振動を光学ローパスフィルタ４１０に伝えるように構成されている。
【００３１】
クランプ／ＣＤＳ（相関二重サンプリング）回路３４は、Ａ／Ｄ変換する前の基本的なアナログ処理を行うものであり、クランプレベルを変更することも可能である。ＡＧＣ（自動利得調整装置）３５は、Ａ／Ｄ変換する前の基本的なアナログ処理を行うものであり、ＡＧＣ基本レベルを変更することも可能である。Ａ／Ｄ変換器３６は、撮像素子３３のアナログ出力信号をデジタル信号に変換する。
【００３２】
映像信号処理回路１０４は、デジタル化された画像データに対してガンマ／ニー処理、フィルタ処理、モニタ表示用の情報合成処理等、ハードウエアによる画像処理全般を実行する。この映像信号処理回路１０４からのモニタ表示用の画像データは、カラー液晶駆動回路１１２を介してカラー液晶モニタ１５に表示される。また、映像信号処理回路１０４は、ＭＰＵ１００の指示に従って、メモリコントローラ３８を通じてバッファメモリ３７に画像データを保存することもできる。さらに、映像信号処理回路１０４は、ＪＰＥＧ等の画像データ圧縮処理を行うこともできる。連写撮影等、連続して撮影が行われる場合は、一旦バッファメモリ３７に画像データを格納し、メモリコントローラ３８を通して未処理の画像データを順次読み出すこともできる。これにより、映像信号処理回路１０４は、Ａ／Ｄ変換器３６から入力されてくる画像データの速度に関わらず、画像処理や圧縮処理を順次行うことができる。
【００３３】
メモリコントローラ３８は、外部インターフェース４０から入力される画像データを外部メモリ３９に記憶し、外部メモリ３９に記憶されている画像データを外部インターフェース４０から出力する機能を有する。外部メモリ３９としては、カメラ本体に着脱可能なフラッシュメモリ等が用いられる。
【００３４】
スイッチセンス回路１０５は、各スイッチの操作状態に応じて入力信号をＭＰＵ１００に送信する。スイッチＳＷ１（１０ａ）は、レリーズ釦１０の第１ストローク（半押し）によりＯＮする。スイッチＳＷ２（１０ｂ）は、レリーズ釦１０の第２ストローク（全押し）によりＯＮする。スイッチＳＷ２（１０ｂ）がＯＮされると、撮影開始の指示がＭＰＵ１００に送信される。また、メイン操作ダイヤル３１０、サブ操作ダイヤル３３０、撮影モード設定ダイヤル８１０、電源スイッチ５０１が接続されている。
【００３５】
液晶表示駆動回路１０７は、ＭＰＵ１００の指示に従って、ファインダ内液晶表示装置４１を駆動する。
【００３６】
バッテリチェック回路１０８は、ＭＰＵ１００の指示に従って、バッテリチェックを行い、その検出結果をＭＰＵ１００に送信する。電源４２は、カメラの各要素に対して電源を供給する。
【００３７】
時刻計測回路１０９は、電源スイッチ５０１がＯＦＦされて次にＯＮされるまでの時間や日付を計測し、ＭＰＵ１００からの指示に従って、計測結果をＭＰＵ１００に送信する。
【００３８】
以下、本発明の第1の実施例であるメイン操作ダイヤル３１０について説明する。
【００３９】
上述したように、メイン操作ダイヤル３１０は、カメラ外装面からダイヤル操作部が一部露出しており、グリップ部９を把持しているときに人差し指で回転クリック動作させることが可能である位置に配置されている。撮影時には、シャッター速度や絞り数値の設定を変更することができる。また、カラー液晶モニタ１５に表示されるメニューのコマンド操作や、撮影画像、撮影動画の選択操作も可能である。
【００４０】
図３は本発明によるカメラ本体１のメイン操作ダイヤルユニット（３００）の正面図である。図４に（ａ）に背面図、（ｂ）に背面図のＭ−Ｍ断面図を示す。また、図５、図６は本発明によるカメラ本体１のメイン操作ダイヤルユニット（３００）の分解斜視図である。図５は前面側から、図６は背面側から見た図である。図３、図４、図５、図６を用いて、メイン操作ダイヤルユニット（３００）の構成の詳細を説明する。
【００４１】
図３〜図６に示すように、メイン操作ダイヤルユニット（３００）の前面側には、レリーズユニット６００が配置されている。レリーズユニット６００は、レリーズ釦１０、ＳＷ１（１０ａ）、ＳＷ２（１０ｂ）、レリーズベース６０２から構成される。レリーズ釦１０が操作されることにより、ＳＷ１（１０ａ）、ＳＷ２（１０ｂ）の信号がダイヤルＦＰＣ（フレキシブルプリント基板）３０８を経由して、スイッチセンス回路１０５により、ＭＰＵ１００に送信される。
【００４２】
ダイヤル３０１は、円形状であり、外周にはローレットが形成され、回転操作時に摩擦を確保できる形状となっている。また、本実施例では、ダイヤル３０１は、中央の軸を構成する樹脂部材（例えば、ポリカーボネート）、外周側の操作部は弾性部材（例えば、ゴム、エラストマーなど）で形成することにより、ダイヤル３０１の操作性を向上させている。また、ダイヤル３０１の樹脂部材、弾性部材は、二色成型で形成されていてもよい。
【００４３】
ダイヤル３０１の回転軸は、ダイヤルベース３０５により嵌合保持され、クリック板３０７を介してビス３３１により固定されている。クリック板３０７は、凹凸を備えたクリック部材であり、例えば金属などで形成されている。ダイヤルベース３０５には、クリックボール３０２、クリックスプリング３０３が嵌め込まれる凹部が形成されており、ダイヤルカバー３０４で覆われている。クリックボール３０２は、金属または樹脂などを材料とする球形状のボール部材であり、クリックスプリング３０３は、コイルバネなどの弾性部材で構成される。クリック板３０７に対して、クリックボール３０２はクリックスプリング３０３により回転軸に垂直な方向に付勢されているため、ダイヤル３０１を回転させることでクリック力を発生させる構成になっている。ダイヤルベース３０５には、クリック力による歪みを検出する歪みセンサ７００が配置されている。歪みセンサ７００の出力信号は、ダイヤルＦＰＣ３０８を経由して、スイッチセンス回路１０５により、ＭＰＵ１００に送信される。
【００４４】
ダイヤルカバー３０４はダイヤルベース３０５にビス締め３３２固定され、これら２つの部材はレリーズベース６０２に対して、ビス３３０ａ、３３０ｂで固定される。さらに、ビス３３３ａ、３３３ｂ、３３３ｃにより、外装カバー（不図示）に固定される。このような構成により、カメラ状態でのメイン操作ダイヤル３１０の操作が可能となる。
【００４５】
図７、図８はメイン操作ダイヤル３１０のクリック機構を説明するための図である。図７はメイン操作ダイヤル３１０を背面から見た図で、ダイヤルカバー３０４がない状態を示している。図８の（ｉ）、（ｉｉ）、（ｉｉｉ）は図７に示すＮ部の拡大図であり、ダイヤル３０１が回転するときの状態推移を示している。Ｆｍは、クリックボール３０２がダイヤルベース３０５に加える力、Ｆｑ、Ｆｒは、クリックボール３０２がそれぞれクリックスプリング３０３、クリック板３０７から受ける力を示している。
【００４６】
図7に示すように、クリックボール３０２は、クリックスプリング３０３により回転軸中心に向かってＦｑで付勢されている。この時、ダイヤル３０１が背面から見て時計回りに操作力が加えられると、クリックボール３０２には、クリック板３０７との接点において法線方向の力Ｆｒが与えられる。そして、ダイヤルベース３０５には、クリックボール３０２によりＦｍ＝Ｆｑ+Ｆｒの合力が与えられる。
【００４７】
ダイヤルベース３０５は、外装カバーに対して、ビス３３３ａ、３３３ｃにより固定されている。このため、ダイヤル３０１を回転操作した際にクリック力が発生すると共にダイヤルベース３０５にＦｍが加えられ、ダイヤルベース３０５には、微小な歪みが発生する。この歪みをダイヤルベース３０５の側面に配置されている歪みセンサ７００で検出することで、ダイヤル３０１の回転方向、クリック回数を検出することが可能である。この歪みセンサ７００による歪み検出信号に関して、図１０で詳細に説明する。
【００４８】
図８に、ダイヤル３０１を時計方向に回転した時のＦｍ、Ｆｑ、Ｆｒの状態推移を示す。図８（ｉ）、（ｉｉ）、（ｉｉｉ）はクリックボール３０２が、クリック板３０７の最凹部、斜面、最凸部と推移していくことを説明する図である。
【００４９】
図７に示す状態が（ｉ）になる。（ｉ）において、Ｆｍ１とＦｒ１のベクトルからなる角度をθ１とする。
【００５０】
（ｉ）の状態からクリック板３０７が時計回りに回転して（ｉｉ）の状態になると、クリックスプリング３０３はチャージされるため、クリックボール３０２へ加わる力Ｆｑ２は大きくなる（Ｆｑ２＞Ｆｑ１）。そして、クリックボール３０２とクリック板３０７の接点がシフトすることで法線方向もシフトするため、Ｆｒ２のベクトルは変化する（θ２＞θ１）。従って、（ｉｉ）よりＦｑ２とＦｒ２の合力であるＦｍ２は、Ｆｍ２＜Ｆｍ１となる。続いて、（ｉｉｉ）は、クリックボール３０２がクリック板３０７の最凸部に位置する場合である。クリックスプリング３０３は、最もチャージされるため、クリックボール３０２に働く力は最大になる（Ｆｑ３＞Ｆｑ２）。そして、Ｆｒ３のベクトルは、Ｆｑ３と略正反対になる（Ｆｑ３＝−Ｆｒ３）。つまり、Ｆｍ３＝Ｆｑ３+Ｆｒ３≒０という関係になる。
【００５１】
このように、ダイヤル３０１が時計回りに回転操作され、クリック板３０７も同様に回転する時、（ｉ）、（ｉｉ）、（ｉｉｉ）で説明したように、Ｆｍの推移はＦｍ１＞Ｆｍ２＞Ｆｍ３≒０となる。さらに、クリックボール３０２がクリック板３０７の最凸部を乗り越えて隣接する凹部に落ち込む過程では、Ｆｍは作用しても微小である。
【００５２】
図９において、ダイヤルベース３０５へ働くＦｍを検出するための歪みセンサ７００の配置について説明する。
【００５３】
図９（ａ）、（ｂ）はメイン操作ダイヤル３１０を背面左右から見た斜視図であり、Ｚｍはダイヤル３０１の回転軸を示す。
【００５４】
ダイヤルベース３０５の歪みを検出しやすい領域は、クリック力が発生する力の面に対して垂直な面であり、図中の網掛け部であるＳｍで示される。平面領域Ｓｍは、Ｆｍ、Ｆｑ、Ｆｒが働く平面に対して、垂直な面であり、回転軸Ｚｍに対しては平行な面となる。クリック力が発生する面に対して垂直な面の領域にはせん断歪みが発生しやすいため、クリック力によるダイヤルベース３０５の歪みを検出しやすい傾向にある。特に、外装カバーに固定されている箇所に近い方が歪みは大きくなる傾向にある。
【００５５】
図１０に、ダイヤル３０１を回転操作した時の歪みセンサ７００の出力信号Ｓ７００のグラフを示す。（ａ）はダイヤル３０１を時計回り、（ｂ）は反時計回りに２クリック回転させた時の出力信号Ｓ７００のグラフである。
【００５６】
図１０（ａ）に示す（ｉ）、（ｉｉ）、（ｉｉｉ）は、図８と対応している。歪みセンサ７００は、ダイヤル３０１を回転操作時に、ダイヤルベース３０５の歪みを検出できるため、図７、８で説明したＦｍの変化を検出することが可能である。
【００５７】
ダイヤル３０１を時計回りに1クリック回転させる際に、図８で説明したようにクリックボール３０２とクリック板３０７の関係により、Ｆｍはピークを持つ力の曲線となる。図１０（ａ）に示すように、クリック板３０７が動き出そうとする瞬間である（ｉ）までは、Ｆｍは増大する。クリック板３０７が動き出すと、クリックボール３０２は相対的にクリック板３０７の斜面を駆け上がり、（ｉｉ）の状態を経過して、最凸部である（ｉｉｉ）に到達する。この時、（ｉ）→（ｉｉ）→（ｉｉｉ）でＦｍは減少して、（ｉｉｉ）で略０になる。クリックボール３０２が、（ｉｉｉ）の最凸部を過ぎて次の凹部に落ち込む過程では、Ｆｍは、微小である。
【００５８】
この時、（ｉ）の状態のセンサ出力ピークをあらかじめ算出しておき、クリック検出閾値（Ｖ１）を設定しておけば、このピーク値を読み取ることでクリック板３０７の回転方向とクリック回数を検出することが可能である。
【００５９】
図１０（ｂ）に、ダイヤル３０１を反時計回りに２クリック回転させた時の歪みセンサ７００の出力グラフを示す。歪みセンサ７００は、ある方向において、引張歪み、圧縮歪みを検出できる。例えば、本実施例では、引張歪みを＜＋＞、圧縮歪みを＜−＞とする。この時、時計回りの時には引張歪みで＜＋＞の出力であったものが、反時計回りでは、圧縮歪みで＜−＞の出力となるため、図１０（ｂ）のような信号出力となり、回転方向を検出することが可能である。この時、クリック検出閾値は−Ｖ２としている。
【００６０】
このように、メイン操作ダイヤル３１０を回転操作した時のクリック回数と回転方向にを歪みセンサ７００の出力Ｓ７００により検出することで、回転操作時の金属接片の摺動音が低減され、耐久性に優れた操作部材を提供することが可能である。
【実施例２】
【００６１】
以下、本発明の第２の実施例による、モードダイヤル８１０について説明する。カメラ全体の概略構成に関しては、第１の実施例と同様なので説明を省略する。
【００６２】
上述したようにモードダイヤル８１０は、カメラ本体１の上面側に配置されており、撮影モードなどを設定することができる。モードダイヤル８１０は、外装面に対して、略垂直に回転軸が配置されており、ダイヤル部を回転操作することが可能である。
【００６３】
図１１は本発明によるカメラ本体１のモードダイヤルユニット（８００）の上面図である。図１２に（ａ）に下面図、（ｂ）に下面図のＴ−Ｔ断面図を示す。また、図１３、図１４は、本発明によるカメラ本体１のモードダイヤルユニット（８００）の分解斜視図である。図１３は上面側から、図１４は下面側から見た図である。
【００６４】
図１１、図１２、図１３、図１４を用いて、モードダイヤルユニット（８００）の構成の詳細を説明する。
【００６５】
モードダイヤル８０１は、円形状であり、外周にはダイヤカット形状が形成され、回転操作時に摩擦を確保できる形状となっている。モードダイヤル８０１の回転軸は、モードダイヤルベース８０５により嵌合保持され、クリック板８０７を介してビス８３１により固定されている。
【００６６】
モードダイヤルベース８０５には、クリックボール８０２、クリックスプリング８０３が嵌め込まれる凹部が形成されており、モードダイヤルカバー８０４で覆われている。クリック板８０７に対して、クリックボール８０２はクリックスプリング８０３により回転軸に垂直な方向に付勢されているため、モードダイヤル８０１を回転させることでクリック力を発生させる構成になっている。モードダイヤルベース８０５には、クリック力による歪みを検出する歪みセンサ７１０、７２０が配置されている。歪みセンサ７１０、７２０は、クリック力発生部の両側に配置されており、モードダイヤル８０１の回転軸に対して平行な面の歪みを検出可能である。歪みセンサ７１０、７２０の出力信号は、モードダイヤルＦＰＣ８０８を経由して、スイッチセンス回路１０５により、ＭＰＵ１００に送信される。
【００６７】
モードダイヤルカバー８０４はモードダイヤルベース８０５にビス締め８３２固定され、モードダイヤルベース８０５は、ビス８３３ａ、８３３ｂ、８３３ｃにより、外装カバー（不図示）に固定される。このような構成により、カメラ状態でのモードダイヤル８１０の操作が可能となる。
【００６８】
クリック機構の詳細な説明に関しては、第１の実施例と同様であるため、省略する。
【００６９】
図１５に、モードダイヤル８０１を回転操作した時の歪みセンサ７１０、７２０の出力信号Ｓ７１０、Ｓ７２０のグラフを示す。（ａ）はモードダイヤル８０１を下面側から見て時計回り、（ｂ）は下面側から見て反時計回りに２クリック回転させた時の出力信号のグラフである。
【００７０】
モードダイヤル８０１を1クリック回転操作する際に、第１の実施例と同様に歪みセンサは、ピークを持つ歪みを検出する。第２の実施例では、歪みセンサ７１０、７２０は、クリック力発生個所を挟み込むように両側に配置されているため、回転時に引張歪み、圧縮歪みの両方を検出することが可能である。このため、歪みセンサ７１０、７２０の出力に対して、閾値をそれぞれ設定することでダイヤルの回転方向とクリック回数の検出精度を向上させることができる。
【００７１】
図１５（ａ）はモードダイヤル８０１を時計回りに２クリック回転した時の出力である。歪みセンサ７１０、７２０の出力を、Ｓ７１０、Ｓ７２０としており、グラフでは、実線、破線となっている。このように、歪みセンサ７１０が引張歪みを検出すると、クリック力発生部挟んで反対側に設置された歪みセンサ７２０には、圧縮歪みが生じる。これは、モードダイヤルベース８０５のクリックボール８０２、クリックスプリング８０３が嵌め込まれる凹部は、モードダイヤルカバー８０４に覆われるように固定されるため、箱形の構成になっている。従って、モードダイヤル８０１の回転操作時にクリック力が発生すると、歪みセンサ７１０、７２０の設置面には、引張、圧縮の反対の歪みが生じる傾向がある。このため、歪みセンサ出力Ｓ７１０、Ｓ７２０のクリック検出閾値をＷ１１、−Ｗ１２と、それぞれ設定することで、誤検出などを防止したより精度の高い検出が可能となる。（ｂ）は、モードダイヤル８０１を反時計回りに２クリック回転した時の出力であり、Ｓ７１０、Ｓ７２０のクリック検出閾値として、それぞれ-Ｗ２２、Ｗ２１と設定している。（ａ）時計周り、（ｂ）反時計回りのセンサ出力Ｓ７１０、Ｓ７２０は、回転方向に伴い、およそ反対の出力が検出される。
歪みセンサ出力Ｓ７１０、Ｓ７２０と、回転方向とクリック回数の検出に関してまとめると、
Ｓ７１０≧Ｗ１１、Ｓ７２０≦−Ｗ１２  →  時計回り、１クリック
Ｓ７１０≦−Ｗ２２、Ｓ７２０≧Ｗ２１  →  反時計回り、１クリック
となる。
【００７２】
このように、モードダイヤル８１０を回転操作した時のクリック回数と回転方向にを歪みセンサ７１０、７２０の出力Ｓ７１０、Ｓ７２０により検出することで、回転操作時の金属接片の摺動音が低減され、耐久性に優れた操作部材を提供することが可能である。
【００７３】
以上、本発明の好ましい実施形態について説明したが、本発明はこれらの実施形態に限定されず、その要旨の範囲内で種々の変形及び変更が可能である。
【符号の説明】
【００７４】
３００  ダイヤルユニット、３０１  ダイヤル、
３０２  ボール部材（クリックボール）、３０３  弾性部材（クリックスプリング）、
３０５  ダイヤルベース、３０１  クリック部材（クリック板）、
７００  歪みセンサ
【図１】
2017068175.tif 000003
【図２】
2017068175.tif 000004
【図３】
2017068175.tif 000005
【図４】
2017068175.tif 000006
【図５】
2017068175.tif 000007
【図６】
2017068175.tif 000008
【図７】
2017068175.tif 000009
【図８】
2017068175.tif 000010
【図９】
2017068175.tif 000011
【図１０】
2017068175.tif 000012
【図１１】
2017068175.tif 000013
【図１２】
2017068175.tif 000014
【図１３】
2017068175.tif 000015
【図１４】
2017068175.tif 000016
【図１５】
2017068175.tif 000017